(57)【特許請求の範囲】
【請求項１】
熱回収部材に接触する受熱部と熱放出部材に接触する放熱部との間に複数の熱電発電素子が配置された熱電発電モジュールを備え、
この熱電発電モジュールの受熱部と前記熱回収部材との接触面間に密封状態で低融点金属層が設けられており、
前記低融点金属層の周囲が前記熱回収部材と熱電発電モジュールとに跨って形成された酸化保護皮膜により密封されており、
前記酸化保護皮膜が粘土配向皮膜であることを特徴とする熱電発電装置。
【請求項２】
前記低融点金属層の周縁部が前記熱電発電モジュールの周側面から斜めに傾斜して張り出すように整形されていることを特徴とする請求項１に記載の熱電発電装置。
【請求項３】
前記低融点金属層が不活性ガスと共に密封されていることを特徴とする請求項１または２に記載の熱電発電装置。
【請求項４】
熱回収部材に接触する受熱部と熱放出部材に接触する放熱部との間に複数の熱電発電素子が配置された熱電発電モジュールを備え、
この熱電発電モジュールの受熱部と前記熱回収部材との接触面間に密封状態で低融点金属層が設けられており、
前記低融点金属層の周囲が前記熱回収部材と熱電発電モジュールとに跨って形成された酸化保護皮膜により密封されており、
前記酸化保護皮膜がケイ素系ポリマー皮膜であることを特徴とする熱電発電装置。
【請求項５】
前記低融点金属層の周縁部が前記熱電発電モジュールの周側面から斜めに傾斜して張り出すように整形されていることを特徴とする請求項４に記載の熱電発電装置。
【請求項６】
前記低融点金属層が不活性ガスと共に密封されていることを特徴とする請求項４または５に記載の熱電発電装置。
【請求項７】
熱回収部材に接触する受熱部と熱放出部材に接触する放熱部との間に複数の熱電発電素子が配置された熱電発電モジュールを備え、
この熱電発電モジュールの受熱部と前記熱回収部材との接触面間に密封状態で低融点金属層が設けられており、
前記低融点金属層の周囲が前記熱回収部材と熱電発電モジュールとに跨って形成された酸化保護皮膜により密封されており、
前記酸化保護皮膜は、前記熱回収部材および熱電発電モジュールに押板を介して押さえ付けられていることを特徴とする熱電発電装置。
【請求項８】
前記低融点金属層の周縁部が前記熱電発電モジュールの周側面から斜めに傾斜して張り出すように整形されていることを特徴とする請求項７に記載の熱電発電装置。
【請求項９】
前記低融点金属層が不活性ガスと共に密封されていることを特徴とする請求項７または８に記載の熱電発電装置。
【請求項１０】
前記押板が前記熱回収部材および熱電発電モジュールにねじ止めされていることを特徴とする請求項７〜９の何れかに記載の熱電発電装置。
【発明の詳細な説明】
【技術分野】
【０００１】
本発明は、熱エネルギーを電気エネルギーに直接変換する熱電発電モジュールを備えた熱電発電装置に関するものである。
【背景技術】
【０００２】
熱電発電モジュールは、ゼーベック効果により温度差に応じた熱起電力を発生するｎ型熱電発電素子およびｐ型熱電発電素子が高温側の受熱部と低温側の放熱部との間に複数個設置された構造を有し、熱エネルギーを電気エネルギーに直接変換することができる。そして、このような熱電発電モジュールの受熱部に高温熱源である適宜の熱回収部材を接触させ、その放熱部に適宜の熱放出部材を接触させることで熱電発電装置が構成される。
【０００３】
この種の熱電発電モジュールを備えた熱電発電装置においては、熱回収部材から熱電発電モジュールの受熱部への熱伝導性が発電性能に大きく影響するため、一般には、熱回収部材と熱電発電モジュールの受熱部との接触面を高い平面度に仕上げ、あるいは、両者に圧力を掛けてその接触面を圧接させている。
【０００４】
この種の熱電発電装置として、特許文献１には、熱回収部材としてのインナシェルの集熱面と熱電発電モジュールの受熱部としての高温側の端面との間に緩衝部材を挟持した例が開示されている。そして、この特許文献１には、ステンレスなどの金属ワイヤをメッシュ状に編み込んだ金属織布を積層ないし折り畳んだものや、波板形状の金属板、金属コイルなどが緩衝部材として使用できると記載されている。
【特許文献１】特開平１０−２３４１９４号公報（段落番号４５、４６）
【発明の開示】
【発明が解決しようとする課題】
【０００５】
ところで、特許文献１に記載された熱電発電装置においては、高温の排気熱がインナシェルの集熱面から金属メッシュ等で構成された緩衝部材を介して熱電発電モジュールの高温側の端面に伝導されるため、その熱伝導性が大きく損なわれて発電性能が低下する恐れがある。
【０００６】
そこで、本発明は、熱回収部材と熱電発電モジュールの受熱部との接触面を高い平面度に仕上げ、あるいはその接触面を圧接させることなく、熱電発電モジュールの受熱部へ極めて良好に熱伝導できる熱電発電装置を提供することを課題とする。
【課題を解決するための手段】
【０００７】
本発明に係る熱電発電装置は、熱回収部材に接触する受熱部と熱放出部材に接触する放熱部との間に複数の熱電発電素子が配置された熱電発電モジュールを備え、この熱電発電モジュールの受熱部と前記熱回収部材との接触面間に密封状態で低融点金属層が設けられていることを特徴とする。
【０００８】
本発明に係る熱電発電装置では、使用状態において熱回収部材が高温になると、密封状態で設けられた低融点金属層が溶融して熱回収部材と熱電発電モジュールの受熱部との接触面を相互に隙間なく接触させる。その結果、熱回収部材から熱電発電モジュールの受熱部への熱伝導が極めて良好に行われる。
【０００９】
本発明の熱電発電装置において、低融点金属層の表面の酸化を防止して低融点金属層の表面を確実に溶融させるためには、低融点金属層の周囲を酸化保護皮膜により密封するのが好ましい。この場合、酸化保護皮膜は、熱電発電モジュールの受熱部と熱回収部材とに跨って形成すればよい。その際、低融点金属層は、その表面の酸化を確実に防止するように、不活性ガスと共に密封することができる。
【００１０】
ここで、酸化保護皮膜としては、高温下において優れた気体バリアー性を発揮する粘土配向皮膜（特開２００５−１０４１３３号公報参照）やケイ素系ポリマー皮膜（特許２８８４０７３号公報参照）を採用することができる。なお、酸化保護皮膜として粘土配向皮膜を採用する場合、低融点金属層の周縁囲が熱電発電モジュールの周側面から斜めに傾斜して張り出すように整形されていると、粘土配向皮膜を重力により沈積させる作業が容易となるので好ましい。
【００１１】
この酸化保護皮膜は、不用意に剥離しないように、熱回収部材および熱電発電モジュールに押板を介して押さえ付けられているのが好ましい。この場合、押板は熱回収部材および熱電発電モジュールにねじ止めすることができる。
【発明の効果】
【００１２】
本発明に係る熱電発電装置によれば、使用状態において溶融した低融点金属層が熱回収部材と熱電発電モジュールの受熱部との接触面を相互に隙間なく接触させるため、熱回収部材から熱電発電モジュールの受熱部へ極めて良好に熱伝導できる。その結果、高い発電性能を発揮することができる。
【００１３】
本発明の熱電発電装置において、低融点金属層の周囲が粘土配向膜やケイ素系ポリマー皮膜などの酸化保護皮膜により密封されている場合、低融点金属層が高温下で溶融する際、低融点金属層の表面の酸化を防止して低融点金属層の表面を確実に溶融させることができる。
【００１４】
また、本発明の熱電発電装置において、熱回収部材および熱電発電モジュールにねじ止めされる押板を介して酸化保護皮膜が熱回収部材および熱電発電モジュールに押さえ付けられている場合、酸化保護皮膜の剥離を容易かつ確実に防止することができる。
【発明を実施するための最良の形態】
【００１５】
以下、図面を参照して本発明に係る熱電発電装置の実施の形態を説明する。参照する図面において、図１は一実施形態に係る熱電発電装置を構成する熱電発電モジュールの概略構造を示す斜視図、図２は一実施形態に係る熱電発電装置の概略構造を示す縦断面図である。
【００１６】
一実施形態に係る熱電発電装置は、例えば図１に示すような構造の熱電発電モジュール１を備えている。この熱電発電モジュール１は、ゼーベック効果により温度差に応じた熱起電力を発生するｎ型熱電発電素子Ｎおよびｐ型熱電発電素子Ｐが高温側の受熱部を構成する絶縁セラミックス製の受熱基板１Ａと、低温側の放熱部を構成する絶縁セラミックス製の放熱基板１Ｂとの間に複数個設置され、これらのｎ型熱電発電素子Ｎおよびｐ型熱電発電素子Ｐが電極板１Ｃを介して交互に直列に接続された基本構造を有する。
【００１７】
このような構造の熱電発電モジュール１は、例えば図２に示すように、熱回収部材としてのフィン部材２と、熱放出部材としての放熱ブロック３との間に挟持されることにより、フィン部材２と放熱ブロック３との温度差に応じて発電する熱電発電装置を構成している。
【００１８】
フィン部材２は、例えば熱伝導性の高いアルミニウム合金の押出し型材からなり、熱回収用の複数のフィン２Ａが一体に突出成形されている。そして、このフィン部材２には、熱電発電モジュール１の受熱基板１Ａに対面する平坦な接触面２Ｂが形成されている。
【００１９】
放熱ブロック３は、熱電発電モジュール１の放熱基板１Ｂとの間の熱交換により放熱基板１Ｂから確実に吸熱できるように、熱伝導性の高いアルミニウム合金製の本体内部（図示省略）に冷却水の流通路が形成されている。
【００２０】
ここで、熱電発電モジュール１は、受熱基板１Ａの外面がフィン部材２の平坦な接触面２Ｂに低融点金属層４を介して面接触し、放熱基板１Ｂの外面が放熱ブロック３の接触面３Ａに直接面接触している。
【００２１】
低融点金属層４は、錫（Ｓｎ）、鉛（Ｐｂ）、亜鉛（Ｚｎ）などの低融点の金属材料からなり、例えば一実施形態の熱電発電装置においては、フィン部材２が２５０℃以上の温度雰囲気に晒される使用状態において確実に溶融する錫（Ｓｎ）が使用されている。
【００２２】
この低融点金属層４は、厚さが０．０１〜１０ｍｍ、好ましくは０．１〜２ｍｍ程度であり、その周縁部は、常温下において熱電発電モジュール１の周側面から斜めに傾斜して張り出すように整形されている（図３参照）。そして、この低融点金属層４の周縁部は、フィン部材２の接触面２Ｂから熱電発電モジュール１の周側面に跨って形成された帯状の酸化保護皮膜５により密封されている（図４参照）。
【００２３】
酸化保護皮膜５は、例えば２５０℃以上の高温下において優れた気体バリアー性を発揮する自立性のある粘土配向皮膜からなり、密封した低融点金属層４の表面の酸化を防止する。この粘土配向皮膜は、粘土粒子の積層を高度に配向させた皮膜であって、例えば、均一な粘土分散液を静置して粘土粒子を沈積させた後、分散媒である液体を遠心分離、ろ過、真空乾燥、凍結真空乾燥、又は加熱蒸発法などによって分離し、１１０から３００℃の高温下で乾燥することで製造される。
【００２４】
この酸化保護皮膜５は、不用意に剥離しないように、フィン部材２の接触面２Ｂおよび熱電発電モジュール１の周側面にそれぞれ枠状の押板６，７を介して押さえ付けられている。一方の枠状の押板６は、複数の止ねじ８を介してフィン部材２の接触面２Ｂに固定され、他方の枠状の押板７は、複数の止ねじ９を介して熱電発電モジュール１の周側面に固定されている（図５参照）。
【００２５】
以上のように構成された一実施形態の熱電発電装置は、例えば自動車の排気系の熱を回収して発電するように、フィン部材２の複数のフィン２Ａが図示しない排気ガスの流通経路に臨んで設置される。そして、複数のフィン２Ａにより回収された排気ガスの熱がフィン部材２の接触面２Ｂから熱電発電モジュール１の受熱基板１Ａに伝熱され、熱電発電モジュール１の放熱基板１Ｂから放熱ブロック３へ放熱されることにより、熱電発電モジュール１の各ｎ型熱電発電素子Ｎおよびｐ型熱電発電素子Ｐ（図１参照）が起電力を発生して発電する。
【００２６】
このような一実施形態の熱電発電装置の使用状態において、フィン部材２の複数のフィン２Ａが排気ガスの熱を吸収して例えば２５０℃以上の高温になると、酸化保護皮膜５により周縁部が密封された低融点金属層４が溶融し、この溶融した低融点金属層４を介してフィン部材２の接触面２Ｂと熱電発電モジュール１の受熱基板１Ａの外面とが相互に隙間なく接触する。
【００２７】
その結果、一実施形態の熱電発電装置によれば、熱回収部材であるフィン部材２から熱電発電モジュール１の受熱基板１Ａへの熱伝導が極めて良好に行われるようになり、熱電発電モジュール１は高い発電性能を発揮する。
【００２８】
本発明に係る熱電発電装置は、前述した一実施形態に限定されるものではない。例えば、低融点金属層４は、不活性ガスと共に密封してもよい。また、酸化保護皮膜５は、高温下で機能するケイ素系ポリマー皮膜等の耐熱性と空気遮断性を持つ他の皮膜で形成されていてもよい。
【図面の簡単な説明】
【００２９】
【図１】本発明の一実施形態に係る熱電発電装置を構成する熱電発電モジュールの概略構造を示す斜視図である。
【図２】一実施形態に係る熱電発電装置の概略構造を示す縦断面図である。
【図３】図２に示した低融点金属層の周縁部を示す熱電発電装置の部分斜視図である。
【図４】図２に示した酸化保護皮膜を示す熱電発電装置の部分斜視図である。
【図５】図２に示した押板および止ねじを示す熱電発電装置の部分斜視図である。
【符号の説明】
【００３０】
１    熱電発電モジュール
１Ａ  受熱基板
１Ｂ  放熱基板
２    フィン部材（熱回収部材）
２Ａ  フィン
２Ｂ  接触面
３    放熱ブロック（熱放出部材）
３Ａ  接触面
４    低融点金属層
５    酸化保護皮膜
６，７  押板
８，９  止ねじ
【図１】
0004815914.tif 000002
【図２】
0004815914.tif 000003
【図３】
0004815914.tif 000004
【図４】
0004815914.tif 000005
【図５】
0004815914.tif 000006